(57)【要約】      （修正有）【課題】蛇腹式フィルタを使用し、逆洗効果を高めると共に、小面積で精密濾過が可能な、廃水浄化装置を提供する。【解決手段】蛇腹式フイルタ１１を、中空筒状に、かつ、伸縮自在に蛇腹状に折畳んで構成し、常時はばね１４の力により折畳んだ状態で設置し、逆洗時には、ばね１４の力に抗して伸ばすことにより、逆洗効果を高めるとともに、蛇腹式フィルタ１１の外周表面に付着していた付着物をベルトコンベア７上に沈殿させて排出できるようにした廃水浄化装置。【効果】逆洗効果を高め、小面積で精密濾過が可能になる。【選択図】図１
2008149308.tif 000002
【特許請求の範囲】
【請求項１】
廃水が注ぎ込まれる浄化槽内に設置され、沈殿物を浄化槽外に排出するベルトコンベアと、
中空筒状に、かつ、伸縮自在に蛇腹状に折畳まれて構成され、常時はばね力により折畳まれて前記浄化槽内に設置され、外周表面から内部方向に廃水を通過させて浄化する蛇腹式フイルタを備え、
逆洗時は、液体前記蛇腹式フイルタの内部から外周表面方向に逆流させ、前記ばね力に抗して前記蛇腹式フイルタを伸ばし、前記蛇腹式フイルタの外周表面に付着していた付着物を、前記ベルトコンベア上に沈殿させるようにしたことを特徴とする廃水浄化装置。
【発明の詳細な説明】
【技術分野】
【０００１】  この発明は、廃水を浄化する廃水浄化装置に関する。
【背景技術】
【０００２】  従来の逆洗式フイルタは、濾紙を折畳んでリング状に配置し、廃水の浄化時には外周表面から内部方向に廃水を流通させ、逆洗時には内部から外周表面方向に浄化時の２倍以上の流速で浄化水を流して逆洗していた。
また、従来の他の逆洗式フイルタは、つる巻き状バネを用い、廃水の浄化時にはつる巻き状バネの外周表面から内部方向に廃水を流通させ、逆洗時には内部から外周表面方向に浄化水を流して、ばねを伸ばして逆洗していた。
【発明の開示】
【発明が解決しょうとする課題】
【０００３】  従来の逆洗式フイルタは、上記の如く構成され、濾紙を折畳んでリング状に配置したものは、精密濾過は可能であるが、逆洗効果は殆どなく、直ぐにフイルタが目詰まりを起こし実情にそぐわない。
一方、つる巻き状バネを用いたものは、逆洗効果は得られるが、通水面積が少なく、かつ、精密濾過は殆ど不可能であり実情にそぐわない。
【０００４】  この発明は、蛇腹式フイルタを、例えば、濾紙、もしくは、濾布を、中空筒状に、かつ、伸縮自在に蛇腹状に折畳んで構成し、常時は、ばね力により折畳んだ状態で設置し、逆洗時には、ばね力に抗して蛇腹式フイルタを伸ばすことにより、逆洗効果を高めると共に、小面積で精密濾過が可能な廃水浄化装置を提供することを目的とする。
【０００５】  上記課題解決手段は、廃水が注ぎ込まれる浄化槽内に、沈殿物を浄化槽外に排出するベルトコンベアと、中空筒状に、かつ、伸縮自在に蛇腹状に折畳まれて構成され、常時はバネ力により折畳まれ、外周表面から内部方向に廃水を通過させて浄化する蛇腹式フイルタを備え、逆洗時には蛇腹式フイルタの内部から外周表面方向に逆流させて、バネ力に抗して蛇腹式フイルタを伸ばすようにして構成した。
【０００６】  以下この発明の実施の形態を図１及び図２に基づいて説明する。
図１は、この発明の一実施例を示す側面断図、図２は、図１の正面断面図で、図において、工作機１からの廃液２は、吸着剤収納容器３を介して浄化槽４のダーティタンク５内に注ぎ込まれる。
吸着剤収納容器３内には、水酸化マグネシュウムを主成分とする吸着剤６が、例えば、布袋に詰められて設置されており、水酸化マグネシュウムから廃液中に溶出するＯＨ基により、廃液２のｐＨ値を９〜１０に保って廃液２の劣化を防ぐと共に、常時、廃液２中のマグネシュウムイオン濃度が１０ｐｐｍ程度になるように溶出して、廃水２中の微粒子の凝集作用を促進する。
【０００７】  図３は、水酸化マグネシュウムの電荷０ポイント特性を示し、横軸にｐＨ値を、縦軸に濃度をとっており、電荷０ポイント：ｐＨ１２より低いｐＨ領域の液中においては、
Ｍｇ（ＯＨ）２＝Ｍｇ（ＯＨ）＋ＯＨ−の平衡から、Ｍｇ（ＯＨ）＋が生じやすく、Ｍｇ（ＯＨ）２の表面は＋に帯電し、また、液中にはＯＨ−が多くなり塩基性を示す。
このため、廃液２のｐＨ値は９〜１０に保たれ、クーラント液・洗浄液等の劣化に伴うｐＨ値の低下は阻止され、また、冷却配管中等の錆発生等の予防にも対応できる。
また、廃液２中の微粒子・微細油等は−に帯電しており、＋に帯電したＭｇ（ＯＨ）２の表面に吸引されて、微粒子・微細油等のそれぞれの相互間距離は、互いに引力が働く距離よりも狭くなって凝集し、廃液２中の微粒子の沈殿速度を速め、微細油は液面に浮上する。
さらに、Ｍｇ（ＯＨ）２は、常に廃液中のマグネシュウムイオン濃度が１０ｐｐｍ程度になるように、マグネシュウムイオン溶出する性状があり、このマグネシュウムイオンにより廃液中の微粒子の凝集作用を促進する。
【０００８】  このようにして廃液２中の微粒子は、ダーティタンク５内に設置されたベルトコンベア７上に沈殿し、ダーティタンク５外に排出される。
ベルトコンベア７は、例えば、１分間の移動速度を１０ｃｍと非常にゆっくりと設定して、ベルトコンベア７上に沈殿堆積した微粒子を廃液２中に拡散させないようにする。
また、ベルトコンベア７に突起８を設け、この突起８がダーティタンク５の廃液２中から液面９外に出る際、突起８の上表面が液面９に対してほぼ平行状態になるように設け、突起８上に堆積した微粒子の廃液２中への拡散を防止する。
突起８の上表面の液面９に対する角度は、ほぼ平行状態が理想的であるが、突起８上に堆積した微粒子を掬い取るように、若干角度を持たせる必要が有る。
【０００９】  ベルトコンベア７上に沈殿しない微粒子は、ダーティタンク５内の廃液２と共に、ポンプ１０によって蛇腹式フイルタ１１を介してクリーンタンク１２内に汲上げられ、蛇腹式フイルタ１１の外周表面から内部方向に廃液２が流れ、蛇腹式フイルタ１１の外周表面で濾過される。
蛇腹式フイルタ１１は、濾紙もしくは濾布を中空筒状で、かつ、アコーデオン式、もしくは、小田原ちょうちん式に伸縮自在に蛇腹状に折畳まれて構成され、図４に示す如く、パンチングメタル等からなる間隙を多数有する容器１３内に設置され、ばね１４のばね力により、常時折畳んだ状態にされている。
逆洗時には、ポンプ１０を逆回転させてクリーンタンク１２内の浄化液を、蛇腹式フイルタ１１の内部から外周表面方向に流し、図５に示す如く、ばね１４のばね力に抗して蛇腹式フイルタ１１を伸ばして逆洗を効果的に行う。
この逆洗でベルトコンベア７上に沈殿堆積した微粒子は、ベルトコンベア７によりダーティタンク５外に排出される。
このようにして浄化されたクリーンタンク１２内の浄化水は、ポンプ１５によって工作機１に送り込まれる。
【００１０】  図６はこの発明の他の実施例を示す正面断面図で、突起８を、図７に示すように、ベルトコンベア７上の微粒子１６を廃液２と共に掬い取るように、突起８の上表面が液面９に対して可也の角度になるように傾斜して設けられ、かつ、図８に示すように、ベルトコンベア７の幅方向に、液面９に対して、例えば、３度〜５度傾斜させて、微粒子１６と共に掬い取られた廃液２を、ゆっくりと、かつ、微粒子１６を廃液２中に拡散さないようにダーティタンク５内に戻す。
この場合、突起８のベルトコンベア７の幅方向の距離は長く、微粒子１６と共に掬い取られた廃液２をゆっくりと、かつ、微粒子１６を廃液２中に拡散させずにダーティタンク５内に戻すことができる。
【００１１】  図９はこの発明のさらに他の実施例を示す正面断面図で、アジャスター１７により、突起８のベルトコンベア７の幅方向への傾斜を付けている。
即ち、図２の実施例においてアジャスター１７を設けることにより、図６の実施例の効果を得るものである。
【００１２】  なお、上記実施例は、ばね１４の押圧力によって蛇腹式フイルタ１１を折畳んだが、ばね１４の引っ張り力によって蛇腹式フイルタ１１を折畳んでもよい。
即ち、例えば、ばね１４を２個、ダーティタンク５の壁面上端部から吊り下げ、この２個のばね１４のそれぞれの下端面に支持板の両端部を取り付け、この支持板に蛇腹式フイルタ１１の下面を固定し、常時はばね１４の引っ張り力によって蛇腹式フイルタ１１を折畳み、逆洗時はばね１４の引っ張り力に抗して蛇腹式フイルタ１１を伸ばしてもよい。
さらに、ポンプ１０を逆回転可能なポンプとして、濾過時、並びに、逆洗時とも、１台のポンプで対応したが、濾過時用のポンプと逆洗時用のポンプとを、それぞれ別個に設けても良い。
【発明の効果】
【００１３】  蛇腹式フイルタを、中空筒状に、かつ、伸縮自在に蛇腹状に折畳んで構成し、常時はばね力により折畳んだ状態で設置し、逆洗時には、ばね力に抗して蛇腹式フイルタを伸ばすことにより、逆洗効果を高めると共に、小面積で精密濾過が可能な廃水浄化装置を構成することが出来る。
【図面の簡単な説明】
【図１】  この発明の廃水浄化装置の一実施例を示す側面断面図。
【図２】  〔図１〕の正面断面図。
【図３】  水酸化マグネシュウムの電荷０ポイント特性を示す図。
【図４】  〔図１〕に示すばねの折畳んだ状態を示す図。
【図５】  〔図１〕に示すばねの伸びた状態を示す図。
【図６】  この発明の廃水浄化装置の他の一実施例を示す正面断面図。
【図７】  〔図６〕に示す突起の側断面図。
【図８】  〔図６〕に示す突起の正面図。
【図９】  この発明の廃水浄化装置のさらに他の実施例を示す正面断面図。
【符号の説明】
２：廃液
４：浄化槽
５：ダーティタンク
６：吸着剤
７：ベルトコンベア
８：突起
１１：蛇腹式フイルタ
１２：クリーンタンク
１４：ばね
【図１】
2008149308.tif 000003
【図２】
2008149308.tif 000004
【図３】
2008149308.tif 000005
【図４】
2008149308.tif 000006
【図５】
2008149308.tif 000007
【図６】
2008149308.tif 000008
【図７】
2008149308.tif 000009
【図８】
2008149308.tif 000010
【図９】
2008149308.tif 000011